(57)【要約】【課題】デザイン性に優れ、小型化を図る上で有利な電子機器を提供する。【解決手段】電子機器１００の筐体１０２の上面１０２Ｂ中央には開口部１０が設けられ、この開口部１０は蓋板２０で開閉され、蓋板２０はリンク機構３０で支持されている。リンク機構３０は、前方に位置する前リンク３２と、前リンク３２の後方に位置する後リンク３４との２本のリンクを備えている。リンク機構３０は、蓋板２０で開口部１０を閉じた全閉状態と、開口部１０を開いた全開状態との間で蓋板２０を移動させるように構成されている。全開状態では、蓋板２０は、後縁２２Ｂが開口部１０の下方に位置し、前縁２２Ａが開口部１０の上方に位置した傾斜した状態となるように構成されている。【選択図】図８
2007012153.tif 000002
【特許請求の範囲】
【請求項１】
蓋板で開閉される開口部を有する電子機器であって、
前記蓋板の左右側部と、対応する前記開口部内の左右側部の箇所とがそれぞれリンク機構で連結され、
前記リンク機構は、前リンクと、前記前リンクの後方に位置する後リンクとを備え、
前記前リンクは前記後リンクよりも大きい寸法の長さを有し、
前記前リンクは、その一端が前記開口部内における前後方向の中間の箇所に第１の支軸を介して揺動可能に連結されると共に、その他端が前記蓋板の下面で後縁寄りの箇所に第２の支軸を介して揺動可能に連結され、
前記後リンクは、その一端が前記開口部内における後縁寄りの箇所に第３の支軸を介して揺動可能に連結されると共に、その他端は前記蓋板の下面で前記第２の支軸および前記第３の支軸よりも後方の後縁寄りの箇所に第４の支軸を介して揺動可能に連結され、
前記リンク機構は、前記蓋板で前記開口部を閉塞した全閉状態で、前記第２の支軸が前記第１の支軸よりも後方で上方に位置し前記第１の支軸と前記第２の支軸とを結んだ第１の想像線が後方に倒れた状態となり、かつ、前記第４の支軸が前記第３の支軸よりも後方で上方に位置し前記第３の支軸と前記第４の支軸とを結んだ第２の想像線が後方に傾いた状態となり、前記蓋板で前記開口部を開放した全開状態で、前記第１の想像線は前記後方に倒れた状態から第１の支軸を中心に揺動し前記第２の支軸が前方かつ上方に位置して後方に傾斜した状態となり、かつ、前記第２の想像線は前記後方に傾いた状態から第３の支軸を中心に揺動し前記第４の支軸が前記第３の支軸の上方で後方から前方に位置して前方に傾いた状態となり、前記全開状態で、前記蓋板の後縁を前記開口部内で前記開口部の下方に位置させ、前記蓋板の前縁を前記開口部の上方に位置させるように構成されている、
ことを特徴とする電子機器。
【請求項２】
蓋板で開閉される開口部を有する電子機器であって、
前記蓋板の左右側部と、対応する前記開口部内の左右側部の箇所とがそれぞれリンク機構で連結され、
前記リンク機構は、前リンクと、前記前リンクの後方に位置する後リンクとを備え、
前記前リンクは前記後リンクよりも大きい寸法の長さを有し、
前記前リンクは、その一端が前記開口部内における前後方向の中間の箇所に第１の支軸を介して揺動可能に連結されると共に、その他端が前記蓋板の下面で前縁寄りの箇所に第２の支軸を介して揺動可能に連結され、
前記後リンクは、その一端が前記開口部内における後縁寄りの箇所に第３の支軸を介して揺動可能に連結されると共に、その他端は前記蓋板の下面で前記第１の支軸よりも後方で前記第３の支軸よりも前方の箇所に第４の支軸を介して揺動可能に連結され、
前記リンク機構は、前記蓋板で前記開口部を閉塞した全閉状態で、前記第２の支軸が前記第１の支軸よりも前方に位置し前記第１の支軸と前記第２の支軸とを結んだ第１の想像線が倒れた状態となり、かつ、前記第４の支軸が前記第３の支軸より前方で前記第１の支軸よりも後方に位置し前記第３の支軸と前記第４の支軸とを結んだ第２の想像線が倒れた状態となり、前記蓋板で前記開口部を開放した全開状態で、前記第１の想像線は前記倒れた状態から前記第１の支軸を中心に揺動し前記第２の支軸が後方かつ上方に位置して前方に傾斜した起立状態となり、かつ、前記第２の想像線は前記倒れた状態から前記第４の支軸を中心として揺動し前記第４の支軸が前記第３の支軸の上方かつ後方に位置して後方に傾斜した起立状態となり、前記全開状態で、前記蓋板の後縁を前記開口部の上方で前記開口部の後縁の後方に位置させ、前記蓋板の前縁を前記開口部の上方に位置させるように構成されている、
ことを特徴とする電子機器。
【請求項３】
前記電子機器は、ＣＤやＤＶＤなどのディスク状の記録媒体の記録およびまたは再生を行なうオーディオ機器であって、前記開口部に、前記ディスク状の記録媒体の装着部が設けられていることを特徴とする請求項１または２記載の電子機器。
【請求項４】
前記開口部および前記蓋板は、前後方向の寸法よりも左右方向の寸法が大きい楕円に形成されていることを特徴とする請求項１または２記載の電子機器。
【請求項５】
前記開口部の底部に底壁が設けられ、前記第１の支軸と前記第３の支軸は前記底壁の下方に位置し、前記前アームと後アームは前記底壁に設けられた開口を通ってそれらの上端が前記底壁の上方に位置していることを特徴とする請求項１または２記載の電子機器。
【発明の詳細な説明】
【技術分野】
【０００１】
本発明は蓋板で開閉される開口部を有する電子機器に関する。
【背景技術】
【０００２】
例えば、ＣＤ、ＤＶＤのようなディスク状記録媒体やオーディオカセットのようなテープ状記録媒体に対して記録および／または再生を行うオーディオ機器がある。
このようなオーディオ機器として、筐体を有し、筐体に設けられた開口部に、ＣＤやオーディオカセットを装着する装着部を配置するとともに、その装着部を保護するために開口部を開閉する蓋板を設けたものが提供されている。
このような蓋板の開閉構造として、蓋板が支軸を中心に揺動可能に支持されるものが提案されている（特許文献１参照）。
【特許文献１】実開平４−９３９８７号公報
【発明の開示】
【発明が解決しようとする課題】
【０００３】
一方、オーディオ機器を奥行きの小さな棚に載置して使用する形態を考えた場合、装着部を構成する開口部を全開状態とした際、蓋板は、平面視した場合、開口部の輪郭の内側に入っていることが望ましい。
しかしながら、蓋板が支軸により揺動可能に支持される構造では、図１０に示すように、蓋板２を平面視した状態で支軸４を蓋板２の輪郭の内側に配置しなければならず、蓋板２の輪郭が例えば楕円や円状を呈していると、蓋板２の揺動時に支軸４近傍における蓋板２の縁部と筐体６に設けられた開口部８の縁部とが干渉するため、開口部８の輪郭の一部を図中ハッチングで示すように切り欠く必要があり、閉塞時の塵埃の侵入を防止する点でまたデザイン性を確保する上で不利があった。
また、装着部を構成する開口部を全開状態とした際、蓋板の後縁を開口部の後縁よりも後方に移動させ、全開時の開口部の面積を大きく確保したい場合、平面視した状態で支軸を蓋板の後方に配置しなければならず、その分筐体が後方に膨出し、オーディオ機器の小型化を図る上で不利があった。
本発明はこのような事情に鑑みなされたものであり、その目的は、デザイン性に優れ、小型化を図る上で有利な電子機器を提供することにある。
【課題を解決するための手段】
【０００４】
上述の目的を達成するため、本発明は、蓋板で開閉される開口部を有する電子機器であって、前記蓋板の左右側部と、対応する前記開口部内の左右側部の箇所とがそれぞれリンク機構で連結され、前記リンク機構は、前リンクと、前記前リンクの後方に位置する後リンクとを備え、前記前リンクは前記後リンクよりも大きい寸法の長さを有し、前記前リンクは、その一端が前記開口部内における前後方向の中間の箇所に第１の支軸を介して揺動可能に連結されると共に、その他端が前記蓋板の下面で後縁寄りの箇所に第２の支軸を介して揺動可能に連結され、前記後リンクは、その一端が前記開口部内における後縁寄りの箇所に第３の支軸を介して揺動可能に連結されると共に、その他端は前記蓋板の下面で前記第２の支軸および前記第３の支軸よりも後方の後縁寄りの箇所に第４の支軸を介して揺動可能に連結され、前記リンク機構は、前記蓋板で前記開口部を閉塞した全閉状態で、前記第２の支軸が前記第１の支軸よりも後方で上方に位置し前記第１の支軸と前記第２の支軸とを結んだ第１の想像線が後方に倒れた状態となり、かつ、前記第４の支軸が前記第３の支軸よりも後方で上方に位置し前記第３の支軸と前記第４の支軸とを結んだ第２の想像線が後方に傾いた状態となり、前記蓋板で前記開口部を開放した全開状態で、前記第１の想像線は前記後方に倒れた状態から第１の支軸を中心に揺動し前記第２の支軸が前方かつ上方に位置して後方に傾斜した状態となり、かつ、前記第２の想像線は前記後方に傾いた状態から第３の支軸を中心に揺動し前記第４の支軸が前記第３の支軸の上方で後方から前方に位置して前方に傾いた状態となり、前記全開状態で、前記蓋板の後縁を前記開口部内で前記開口部の下方に位置させ、前記蓋板の前縁を前記開口部の上方に位置させるように構成されていることを特徴とする。
また、本発明は、蓋板で開閉される開口部を有する電子機器であって、前記蓋板の左右側部と、対応する前記開口部内の左右側部の箇所とがそれぞれリンク機構で連結され、前記リンク機構は、前リンクと、前記前リンクの後方に位置する後リンクとを備え、前記前リンクは前記後リンクよりも大きい寸法の長さを有し、前記前リンクは、その一端が前記開口部内における前後方向の中間の箇所に第１の支軸を介して揺動可能に連結されると共に、その他端が前記蓋板の下面で前縁寄りの箇所に第２の支軸を介して揺動可能に連結され、前記後リンクは、その一端が前記開口部内における後縁寄りの箇所に第３の支軸を介して揺動可能に連結されると共に、その他端は前記蓋板の下面で前記第１の支軸よりも後方で前記第３の支軸よりも前方の箇所に第４の支軸を介して揺動可能に連結され、前記リンク機構は、前記蓋板で前記開口部を閉塞した全閉状態で、前記第２の支軸が前記第１の支軸よりも前方に位置し前記第１の支軸と前記第２の支軸とを結んだ第１の想像線が倒れた状態となり、かつ、前記第４の支軸が前記第３の支軸より前方で前記第１の支軸よりも後方に位置し前記第３の支軸と前記第４の支軸とを結んだ第２の想像線が倒れた状態となり、前記蓋板で前記開口部を開放した全開状態で、前記第１の想像線は前記倒れた状態から前記第１の支軸を中心に揺動し前記第２の支軸が後方かつ上方に位置して前方に傾斜した起立状態となり、かつ、前記第２の想像線は前記倒れた状態から前記第４の支軸を中心として揺動し前記第４の支軸が前記第３の支軸の上方かつ後方に位置して後方に傾斜した起立状態となり、前記全開状態で、前記蓋板の後縁を前記開口部の上方で前記開口部の後縁の後方に位置させ、前記蓋板の前縁を前記開口部の上方に位置させるように構成されていることを特徴とする。
【発明の効果】
【０００５】
本発明によれば、装着部を構成する開口部を全開状態とした際、蓋板は、平面視した場合、その前縁および後縁が開口部の輪郭の内側に入っている。
したがって、蓋板を開放した際、蓋板は筐体の後方に突出することはなく、電子機器を奥行きの小さな棚に載置して使用する場合に極めて有利となる。
また本発明によれば、装着部を構成する開口部を全開状態とした際、リンク機構により、蓋板の後縁が開口部の後縁よりも後方に移動されるので、全開時の開口部の面積を大きく確保できることは無論のこと、従来のように開口部の後方にスペースを占有せず、電子機器の小型化を図る上で有利となり、非使用時に、電子機器を奥行きの小さな棚に載置でき極めて有利となる。
【発明を実施するための最良の形態】
【０００６】
（第１の実施の形態）
次に本発明の第１の実施の形態について図面を参照して説明する。
図１は第１の実施の形態の電子機器１００の蓋板２０が閉塞した状態を示す斜視図、図２は第１の実施の形態の電子機器１００の蓋板２０が開放した状態を示す斜視図である。
図３は蓋板２０、リンク機構３０、開口部１０の構成を示す分解斜視図である。
図４は蓋板２０が開放された状態を示す平面図、図５は蓋板２０が開放された状態を示す斜視図である。
図６は蓋板２０の全閉状態を示す説明図、図７は蓋板２０の半開状態を示す説明図、図８は蓋板２０の全開状態を示す説明図である。
【０００７】
図１、図２に示すように、本実施の形態の電子機器１００はＣＤの再生やラジオの受信を行うオーディオ機器であり、外装を構成する筐体１０２を有している。
筐体１０２の下部には脚部１０４が連結され、脚部１０４がテーブルの上面などに載置される。
筐体１０２は、平面視した状態で左右の幅方向に長径を、前後方向に短径を有する楕円状の輪郭を有している。
筐体１０２の前面１０２Ａの左右両側には図示しないスピーカが内蔵されている。
筐体１０２の前面１０２Ａの幅方向中央の下縁近傍には複数のキースイッチ１０６が幅方向に並べて設けられており、これらキースイッチ１０６はＣＤの再生や早送り、早戻し、停止、ラジオの選局、音量調整などの操作を行うためのものである。
【０００８】
図１、図２に示すように、筐体１０２の上面１０２Ｂ中央には開口部１０が設けられ、この開口部１０は蓋板２０で開閉され、蓋板２０はリンク機構３０で支持されている。
より詳細には、蓋板２０の前縁を押し込むと、蓋板２０の全閉位置でのロックが解除され、後述するコイルスプリング３２１０、３４１０（図２参照）の弾性力により蓋板２０は開く方向に揺動し、不図示のストッパに当接して全開位置となり、全開位置から全閉位置に蓋板２０を揺動させると、蓋板２０は全閉位置でロックされるように構成されている。
開口部１０内には、ＣＤ１１０を装着して回転するターンテーブル１１２（図６参照）やＣＤ１１０の記録面に記録された情報を読み取る光ピックアップ（不図示）などを有する装着部が設けられている。
なお、蓋板２０の下面には不図示のチャックプレートなどの押さえ部材が設けられており、この押さえ部材によってＣＤ１１０をターンテーブル１１２に押さえ付けることでＣＤ１１０が確実に装着されるように構成されている。
図１、図２に示すように、開口部１０は、平面視した状態で幅方向に長径を、前後方向に短径を有する楕円状の輪郭を有している。
蓋板２０は、開口部１０を隙間無く閉塞できる大きさの楕円状の輪郭を有した板状を呈している。
図５に示すように、蓋板２０は、開口部１０を開閉する方向（本実施の形態では前後方向）における前縁２２Ａおよび後縁２２Ｂと、開口部１０を開閉する方向と直交する方向（本実施の形態では左右方向）における左右の縁２４とを有している。
【０００９】
図３乃至図５に示すように、リンク機構３０は、蓋板２０の後縁２２Ｂ寄りにおける左右の縁２４の箇所と、対応する開口部１０内の両側の箇所とにそれぞれ配置されている。
リンク機構３０は、前方に位置する前リンク３２と、前リンク３２の後方に位置する後リンク３４との２本のリンクを備え、前リンク３２は後リンク３４よりも大きい寸法の長さを有している。
【００１０】
前リンク３２の一端は、図４に示すように、開口部１０内の底壁１２の開口１２０２を通り底壁１２の下方に位置し、図６に示すように、底壁１２の下面のボス部１４に第１の支軸１４０２を介して揺動可能に取着されている。
本実施の形態では、図６に示すように、ボス部１４および第１の支軸１４０２は、左右側方から見て開口部１０の前後方向の中間の箇所に位置するように設けられている。
前リンク３２の他端は、図６に示すように、蓋板２０の下面で後縁２２Ｂ寄りの箇所に設けられたボス部２６に第２の支軸２６０２を介して揺動可能に取着されている。
前リンク３２は、図６に示すように、開口部１０の全閉状態および全開状態において、底壁１２上に位置する容積が小さくなるように、第１の支軸１４０２で支持される第１アーム部３２Ａと、第２の支軸２６０２で支持される第２アーム部３２Ｂとが屈曲した状態で連結されている。
なお、本実施の形態では、図２に示すように、左右のリンク機構３０の各前リンク３２の一端と筐体１０２との間にコイルスプリング３２１０がそれぞれ張設され、これらコイルスプリング３２１０の弾性力により前リンク３２を介して蓋板２０が開放される方向に付勢されている。
【００１１】
後リンク３４の一端は、図４に示すように、開口部１０内の底壁１２の開口１２０４を通り底壁１２の下方に位置し、図６に示すように、底壁１２の下面のボス部１６に第３の支軸１６０２を介して揺動可能に取着されている。
本実施の形態では、図６に示すように、ボス部１６および第３の支軸１６０２は、左右側方から見て開口部１０の後縁寄りの箇所に位置するように設けられている。
後リンク３４の他端は、図６に示すように、蓋板２０の下面のボス部２８に第４の第４の支軸２８０２を介して揺動可能に取着されている。
本実施の形態では、図６に示すように、ボス部２８および第４の支軸２８０２は左右側方から見て第２の支軸２６０２および第３の支軸１６０２よりも後方の蓋板２０の後縁２２Ｂ寄りの箇所に位置するように設けられている。
なお、本実施の形態では、図２に示すように、左右のリンク機構３０のうちの左のリンク機構３０の後リンク３４は、その一端が延在してアーム部３４０４として形成され、アーム部３４０４の先端と筐体１０２との間には、コイルスプリング３４１０が張設され、このコイルスプリング３４１０の弾性力により後リンク３４を介して蓋板２０が開放される方向に付勢されている。
また、図２に示すように、アーム部３４０４の先端にはダンパ３４１２が設けられ、このダンパ３４１２のギアが底壁１２下面に突設されたギア１２１０に噛合されており、蓋板２０が各コイルスプリング３２１０、３４１０の弾性力により開放される際の速度をダンパ３４１２の作用により緩和するように構成されている。
【００１２】
なお、本実施の形態では、図３に示すように、前リンク３２の他端間が連結ロッド３２０２で連結され、また、後リンク３４の他端間が連結板３４０２で連結され、左右のリンク機構３０が同一の位相で運動し、蓋板２０の開閉動の円滑化が図られている。
【００１３】
図６乃至図８に示すように、リンク機構３０は、蓋板２０で開口部１０を閉じた全閉状態と、開口部１０を開いた全開状態との間で蓋板２０を移動させるように構成されている。
より詳細に説明すると、図６に示す全閉状態では、リンク機構３０は、第２の支軸２６０２が第１の支軸１４０２よりも後方で上方に位置し第１の支軸１４０２と第２の支軸２６０２とを結んだ第１の想像線Ｌ１が後方に倒れた状態となり、かつ、第４の支軸２８０２が第３の支軸１６０２よりも後方で上方に位置し第３の支軸１６０２と第４の支軸２８０２とを結んだ第２の想像線Ｌ２が後方に傾いた状態となるように構成されている。
【００１４】
この状態から蓋板２０の前縁２２Ａを押し込むと、蓋板２０の全閉位置でのロックが解除され、コイルスプリング３２１０、３４１０の弾性力により蓋板２０は全開位置に向けて揺動する。
具体的には、図７、図８に示すように、前リンク３２はその他端が開口部１０の上方に次第に向かう方向に移動し、後リンク３４はその他端がいったん上昇した後、下降するように後方に向けて移動する。
より詳細に説明すると、図８に示す全開状態では、リンク機構３０は、第１の想像線Ｌ１は後方に倒れた状態から第１の支軸１４０２を中心に揺動し第２の支軸２６０２が前方かつ上方に位置して後方に傾斜した状態となり、かつ、第２の想像線Ｌ２は後方に傾いた状態から第３の支軸１６０２を中心に揺動し第４の支軸２８０２が第３の支軸１６０２の上方で後方から前方に位置して前方に傾いた状態となるように構成されている。
そして、全開状態では、蓋板２０の前縁２２は、左右側方から見ると、開口部１０の上方に位置し、また、図５に示すように、上方から見ると、開口部１０内に位置するように構成されている。
また、蓋板２０の後縁２２Ｂは、図８に示すように、左右側方から見ると、開口部１０内で開口部１０の下方に位置し、また、図５に示すように、上方から見ると、開口部１０内に位置するように構成されている。
したがって、全開状態では、蓋板２０は、後縁２２Ｂが開口部１０の下方に位置し、前縁２２Ａが開口部１０の上方に位置した傾斜した状態となるように構成されている。
【００１５】
本実施の形態によれば、前記装着部を構成する開口部１０を全開状態とした際、蓋板２０は、平面視した場合、その前縁２２Ａおよび後縁２２Ｂが開口部１０の輪郭の内側に入っている。
したがって、ＣＤの装着時に蓋板２０を開放した際、蓋板２０は筐体１０２の後方に突出することはなく、オーディオ機器を奥行きの小さな棚に載置して使用する場合に極めて有利となる。
また、蓋板２０の輪郭が楕円状を呈していても、蓋板２０の縁部と開口部１０の縁部とが干渉しないようにリンク機構３０により蓋板２０が移動される（蓋板２０の後部が前方に移動しかつ下方に揺動する）ため、すなわち、開口部１０箇所の左右幅よりも小さい寸法の左右幅を有する蓋板２０の後縁２２Ｂ箇所が開口部１０に挿入されるため、従来と違って、開口部１０の輪郭の一部を切り欠く必要がなく、閉塞時の塵埃の侵入を防止する点でまたデザイン性を確保する上で有利となる。
また、蓋板２０の後縁２２Ｂが開口部１０の下方に位置するため、蓋板２０の全開位置において、蓋板２０の前縁２２Ａが筐体１０２の上面１０２Ｂの上方に突出する寸法を小さくすることができる。
したがって、オーディオ機器を上下方向の寸法が小さな棚に載置して使用する場合に極めて有利となる。
【００１６】
（第２の実施の形態）
第２の実施の形態では、第１の実施の形態と同様に、オーディオ機器の装着部を構成する開口部を開閉する蓋板に適用されたものであり、第１の実施の形態と同様な箇所、部材には同一の符号を付して説明する。
図９は第２の実施の形態の電子機器１００の構成を示す説明図である。
【００１７】
図９に示すように、筐体１０２の上面１０２Ｂ中央には開口部１０が設けられ、この開口部１０は蓋板４０で開閉され、蓋板４０はリンク機構５０で支持されている。
蓋板４０は、開口部１０を隙間無く閉塞できる大きさの楕円状の輪郭を有した板状を呈している。
蓋板４０は、開口部１０を開閉する方向（本実施の形態では前後方向）における前縁４２Ａおよび後縁４２Ｂと、開口部１０を開閉する方向と直交する方向（本実施の形態では左右方向）における左右の縁４４とを有している。
【００１８】
リンク機構５０は、蓋板４０の後縁４２Ｂ寄りにおける左右の縁４４の箇所と、対応する開口部１０内の両側の箇所とにそれぞれ配置されている。
リンク機構５０は、前方に位置する前リンク５２と、前リンク５２の後方に位置する後リンク５４との２本のリンクを備え、前リンク５２は後リンク５４よりも大きい寸法の長さを有している。
前リンク５２の一端は、開口部１０を構成する壁部に設けられたボス部５６に第１の支軸５６０２を介して揺動可能に取着されている。
本実施の形態では、ボス部５６および第１の支軸５６０２は、左右側方から見て開口部１０の前後方向の中間の箇所に位置するように設けられている。
前リンク５２の他端は、蓋板４０の下面のボス部４６に第２の支軸４６０２を介して揺動可能に取着されている。
本実施の形態では、ボス部４６および第２の支軸４６０２は、左右側方から見て蓋板４０の前縁４２Ａ寄りの箇所に位置するように設けられている。
【００１９】
後リンク５４の一端は、開口部１０を構成する壁部に設けられたボス部５８に第３の支軸５８０２を介して揺動可能に取着されている。
本実施の形態では、ボス部５８および第３の支軸５８０２は、左右側方から見て開口部１０の後縁寄りの箇所に位置するように設けられている。
後リンク５４の他端は、蓋板４０の下面のボス部４８に第４の支軸４８０２を介して揺動可能に取着されている。
本実施の形態では、ボス部４８および第４の支軸４６０２は、左右側方から見て蓋板４０の下面で第１の支軸５６０２よりも後方で第３の支軸５８０２よりも前方の箇所に位置するように設けられている。
【００２０】
リンク機構５０は、蓋板４０で開口部１０を閉じた全閉状態と、開口部１０を開いた全開状態との間で蓋板４０を移動させるように構成されている。
より詳細に説明すると、リンク機構５０は全閉状態で、第２の支軸４６０２が第１の支軸５６０２よりも前方に位置し第１の支軸５６０２と第２の支軸４６０２とを結んだ第１の想像線Ｌ１が倒れた状態となり、かつ、第４の支軸４８０２が第３の支軸５８０２より前方で第１の支軸５６０２よりも後方に位置し第３の支軸５８０２と第４の支軸４８０２とを結んだ第２の想像線Ｌ２が倒れた状態となるように構成されている。
この状態から蓋板４０の前縁２２Ａを押し込むと、蓋板４０の全閉位置でのロックが解除され、不図示のコイルスプリングの弾性力により蓋板４０は全開位置に向けて揺動する。
具体的には、前リンク５２はその他端が後方かつ上方に向かう方向に移動し、後リンク５４その他端が後方かつ上方に向かう方向に移動し、全開状態では前リンク５２の他端はその一端よりも前方に位置し、後リンク５４の他端はその一端よりも後方に位置する。
より詳細に説明すると、全開状態で、第１の想像線Ｌ１は倒れた状態から第１の支軸５６０２を中心に揺動し第２の支軸４６０２が後方かつ上方に位置して前方に傾斜した起立状態となり、かつ、第２の想像線Ｌ２は倒れた状態から第４の支軸を中心として揺動し第４の支軸が第３の支軸の上方かつ後方に位置して後方に傾斜した起立状態となるように構成されている。
そして、全開状態で、蓋板４０の後縁４２Ｂを開口部１０の上方で開口部１０の後縁の後方に位置させ、蓋板４０の前縁４２Ａを開口部１０の上方に位置させるように構成されている。
本実施の形態では、蓋板４０の後縁４２Ｂは筐体１０２の後面よりも後方に突出するように構成されている。
【００２１】
本実施例によれば、前記装着部を構成する開口部１０を全開状態とした際、蓋板４０の後縁を開口部１０の後縁よりも後方に移動させることで、全開時の開口部１０の面積を大きく確保できることは無論のこと、開口部１０の全閉状態においてリンク機構５０が開口部１０の内部に位置しており、従来のように開口部１０の後方にスペースを占有しないため、筐体の大型化を招くことがなくオーディオ機器の小型化を図る上で有利となり、また、非使用時に奥行きの小さな棚に載置することも可能となり、収納時に有利となる。
【００２２】
なお、実施の形態では、電子機器１００がオーディオ機器である場合について説明したが、本発明はこれに限定されるものでなく、ＤＶＤプレーヤ、ＣＤプレーヤ、カセットテープレコーダ、ビデオテープレコーダ、ビデオカメラなど、ディスク状記録媒体あるいはカセット状記録媒体を装着する装着部が設けられた開口部とその開口部を開閉する蓋板を有する電子機器に広く適用可能であり、さらに、本発明では、開口部の用途は記録媒体の装着部が収容されるものに限定されず、様々の用途の開口部を蓋板で開閉する構造を備えた電子機器に広く適用される。
【図面の簡単な説明】
【００２３】
【図１】第１の実施の形態の電子機器１００の蓋板２０が閉塞した状態を示す斜視図である。
【図２】第１の実施の形態の電子機器１００の蓋板２０が開放した状態を示す斜視図である。
【図３】蓋板２０、リンク機構３０、開口部１０の構成を示す分解斜視図である。
【図４】蓋板２０が開放された状態を示す平面図である。
【図５】蓋板２０が開放された状態を示す斜視図である。
【図６】蓋板２０の全閉状態を示す説明図である。
【図７】蓋板２０の半開状態を示す説明図である。
【図８】蓋板２０の全開状態を示す説明図である。
【図９】第２の実施の形態の電子機器１００の構成を示す説明図である。
【図１０】従来の電子機器の説明図である。
【符号の説明】
【００２４】
１０……開口部、２０……蓋板、２２Ａ……前縁、２２Ｂ……後縁、２４……左右の縁、３０……リンク機構、３２……前リンク、３４……後リンク、１４０２……第１の支軸、２６０２……第２の支軸、１６０２……第３の支軸、２８０２……第４の支軸、１００……電子機器。
【図１】
2007012153.tif 000003
【図２】
2007012153.tif 000004
【図３】
2007012153.tif 000005
【図４】
2007012153.tif 000006
【図５】
2007012153.tif 000007
【図６】
2007012153.tif 000008
【図７】
2007012153.tif 000009
【図８】
2007012153.tif 000010
【図９】
2007012153.tif 000011
【図１０】
2007012153.tif 000012